(57)【要約】【課題】発電用ガスが流通する流通路の長短に関わらず、それら流通路における流量分配を均一にして発電効率を高めることができるようにする。【解決手段】本発明は、電解質膜の両側にアノード極１６とカソード極１７を接合した複数のセルと、一方のセルのアノード極１６と他方のセルのカソード極１７との間に、アノードガス，カソードガスを流通させるためのアノード極側ガス流通部Ｆ１，カソード極側ガス流通部Ｆ２を形成するセパレータ２０を配設したものであり、上記アノード極側ガス流通部Ｆ１は、流路長が異なる複数の流通路３０１〜３０ｎを有し、流路長が長くなるに従い、流通路断面形状の重心Ｇをアノード極１６から離間させるように形成している。【選択図】図３
2013197075.tif 000002
【特許請求の範囲】
【請求項１】
電解質膜の両側にアノード極とカソード極を接合した複数のセルと、一方のセルのアノード極と他方のセルのカソード極との間に、アノードガス，カソードガスを流通させるためのアノード極側ガス流通部，カソード極側ガス流通部を形成するセパレータを配設した燃料電池ユニットにおいて、
上記アノード極側ガス流通部は、流路長が異なる複数の流通路を有し、流路長が長くなるに従い、流通路断面形状の重心をアノード極から離間させるように形成したことを特徴とする燃料電池ユニット。
【請求項２】
流通路が同心状に形成されており、
内周部から外周部に向けて流通路の流路断面形状の重心をアノード極から次第に離間させている請求項１に記載の燃料電池ユニット。
【請求項３】
流通路がセパレータと一体に形成されている請求項１又は２に記載の燃料電池ユニット。
【請求項４】
アノード極流通路の流路長が長くなるに従い、当該各流通路の底壁部分をアノード極から離間するように傾斜させている請求項１〜３のいずれか１項に記載の燃料電池ユニット。
【請求項５】
アノード極流通路の底壁部分がアノード極に平行に形成されており、
上記アノード極流通路の流路断面形状の重心をアノード極から離間させるように、それら各底壁部分を段階的に変化させている請求項１〜３のいずれか１項に記載の燃料電池ユニット。
【請求項６】
アノード極流通路の底壁部分がアノード極に平行に形成されており、
当該流通路を区画形成するカソード極側仕切り凸部の基部の幅を、その流通路の流路長が長くなるに従って広くしている請求項４又は５に記載の燃料電池ユニット。
【請求項７】
カソード極側仕切り凸部の先端部に突起が形成されており、
その突起部の幅を、流路長が最短のカソード極側流通路を区画形成するカソード極側仕切り凸部の基部の幅より狭く設定している請求項１〜６のいずれか１項に記載の燃料電池ユニット。
【請求項８】
カソード極側仕切り凸部及びアノード極側仕切り凸部の少なくとも一部のもののアノード極又はカソード極との当接面に凹陥部を形成している請求項１〜７のいずれか１項に記載の燃料電池ユニット。
【請求項９】
流路が最長のもののアノード極側流通路の底壁部分とアノード極間の距離は、カソード極側流通路の底壁部分とカソード極の距離以下にしている請求項１〜８のいずれか１項に記載の燃料電池ユニット。
【請求項１０】
アノード極側仕切り凸部とカソード極側仕切り凸部との境界線を、そのアノード極側流通路の流路長が長くなるに従い、アノード極から離間するように傾斜させている請求項１〜３のいずれか１項に記載の燃料電池ユニット。
【請求項１１】
アノード極側仕切り凸部とカソード極側仕切り凸部の各先端部に突起を設けている請求項１０に記載の燃料電池ユニット。
【請求項１２】
請求項１〜１１のいずれか１項に記載の燃料電池ユニットどうしを複数積層していることを特徴とする燃料電池スタック。
【発明の詳細な説明】
【技術分野】
【０００１】
本発明は、セルのアノード極とカソード極の間に区画形成したガス流通空間にアノードガス，カソードガスをそれぞれ流通させる燃料電池ユニットとこれを用いた燃料電池スタックに関する。
【背景技術】
【０００２】
この種の燃料電池に関連する従来技術として、「流れ場プレイト」とした名称において特許文献１に開示されたものがある。
特許文献１に開示された流れ場プレイトは、流れ場プレイトが流れ場プレイトのセンターに位置するセンター孔と、流れ場プレイトの縁に近づく２つの位置に位置する流入孔及び流出孔を含んで、且つ流れ場プレイトの一面がセンター孔をめぐって分布して且つ流入孔と流出孔と接続するダイバージョン槽を含むものである。
【先行技術文献】
【特許文献】
【０００３】
【特許文献１】特表２００８−５３５１８９号公報
【発明の概要】
【発明が解決しようとする課題】
【０００４】
特許文献１において、ダイバージョン槽については、流れ場プレイトの前記面のすべてのダイバージョン槽の槽底面積と全部流れ場プレイトの面積との比率を１／３−４／５にしている例と、流れ場プレイトの前記面のダイバージョン槽の深さと流れ場プレイトの厚さとの比率が１／５−１／２にしている例について記載されている。
【０００５】
しかしながら、上記した同心円状の流路を有するダイバージョン槽は、半径が大きいところほど流路が長くなるに伴って圧力損失が大きくなり、燃料や酸化剤の発電用ガスが流れにくくなって流量分配にばらつきが出るという問題がある。
【０００６】
そこで本発明は、発電用ガスが流通する流通路の長短に関わらず、それら流通路における流量分配を均一にして発電効率を高めることができる燃料電池ユニットとこれを用いた燃料電池スタックの提供を目的としている。
【課題を解決するための手段】
【０００７】
上記課題を解決するための本発明は、次のとおりである。
本発明に係る燃料電池ユニットは、電解質膜の両側にアノード極とカソード極を接合した複数のセルと、一方のセルのアノード極と他方のセルのカソード極との間に、アノードガス，カソードガスを流通させるためのアノード極側ガス流通部，カソード極側ガス流通部を形成するセパレータを配設したものであり、上記アノード極側ガス流通部は、流路長が異なる複数の流通路を有し、流路長が長くなるに従い、流通路断面形状の重心をアノード極から離間させるように形成したことを特徴としている。
【０００８】
流路長が長くなるに従い、流路断面形状の重心をアノード極から離間させるように形成した複数の流通路を形成しているので、各流通路の路長の長短に関わらず、それら流通路における流量分配を均一にして発電効率を高められる。
【０００９】
本発明に係る燃料電池スタックは、上記した燃料電池ユニットどうしを複数積層したものである。
【発明の効果】
【００１０】
本発明によれば、発電用ガスが流通する流通路の路長の長短に関わらず、それら流通路における流量分配を均一にして発電効率を高めることができる。
【図面の簡単な説明】
【００１１】
【図１】本発明の第一の実施形態に係る燃料電池ユニットを積層した燃料電池スタックの一部を示す正面図である。
【図２】同上の燃料電池ユニットの分解斜視図である。
【図３】（Ａ）は、セパレータの一部を切断して示す部分断面斜視図、（Ｂ）は、その断面Ｉを模式的に示す説明図である。
【図４】第二の実施形態に係るセルユニットの一部を模式的に示す部分断面図である。
【図５】第三の実施形態に係るセルユニットの一部を模式的に示す部分断面図である。
【図６】第四の実施形態に係るセルユニットの一部を模式的に示す部分断面図である。
【図７】第五の実施形態に係るセルユニットの一部を模式的に示す部分断面図である。
【図８】第六の実施形態に係るセルユニットの一部を模式的に示す部分断面図である。
【図９】第七の実施形態に係るセルユニットの一部を模式的に示す部分断面図である。
【図１０】第八の実施形態に係るセルユニットの一部を模式的に示す部分断面図である。
【発明を実施するための形態】
【００１２】
以下に、本発明を実施するための形態について、図面を参照して説明する。図１は、本発明の第一の実施形態に係る燃料電池ユニットを積層した燃料電池スタックの一部を示す正面図、図２は、その燃料電池セルの分解斜視図である。また、図３（Ａ）は、セパレータの一部を切断して示す部分断面斜視図、（Ｂ）は、その断面Ｉを模式的に示す説明図である。図中、「ｐｎ」はアノード側流通路の幅、「Ｇ」は流路断面形状の重心を示している。
【００１３】
一例に係る燃料電池スタックＡは、図１に示すように、第一の実施形態に係る複数の燃料電池ユニット（以下、「セルユニット」という。）Ｂ１…を互いに所要の間隙をもって積層してなるものであり、それらのセルユニットＢ１…内外に、二種類の反応用ガスを互いに分離して流通させることによる発電を行うようにしたものである。
本実施形態においては、セルユニットＢ１内を流通する反応用ガスがアノードガス（燃料ガス）であり、他方の反応用ガスがカソードガス（空気）である。
【００１４】
セルユニットＢ１…は、固体電解質型セル１０、外周リング１１、セパレータ２０及び内周リング１２〜１５を有しており、それらは中心軸線Ｏ１を中心として同軸的に配設されている。
【００１５】
固体電解質型セル１０は、所要の内径にした円形の通気孔１０ａを中心に形成した円板形のものであり、アノード極（燃料極）１６とカソード極（空気極）１７とを電解質（いずれも図示しない）の上下両側に配設したものである。
【００１６】
セパレータ２０は、上記した固体電解質型セル１０とほぼ同じ外径にし、かつ、所要の内径からなる円形の通気孔２０ａを中心に形成した円板形の板体である。
このセパレータ２０の上記内周リング１２〜１５を配設する内周側の円形領域ａ１と外周側の円環領域ａ２の間にアノード極側ガス流通部Ｆ１，カソード極側ガス流通部Ｆ２が形成されている。
【００１７】
アノード極側ガス流通部Ｆ１は、幅を一定にし、かつ、流路長が長くなるに従い、流路断面形状の重心Ｇ（図３（Ｂ）参照）を、アノード極１６から離間させるように形成した複数のアノード極側流通路３０１〜３０ｎを有している。
【００１８】
アノード極側流通路３０１〜３０ｎは、断面視において直線的に形成したセパレータ基板２１の図示上面に、アノード極側流通路３０１〜３０ｎを区画形成する多数のアノード極側仕切り凸部３２１〜３２ｎを軸線Ｏ１を中心とした同心円状にして一体に区画形成したものである。すなわち、アノード極側流通路３０１〜３０ｎは同心円状に形成され、流路長が異なって形成される。
【００１９】
アノード極側仕切り凸部３２１〜３２ｎは、内周部から外周部にわたり互いに同一の間隔にして形成されている。なお、図３（Ｂ）には、最内周部側のアノード極側流通路３０１〜３０５までを示している。
【００２０】
本実施形態に示すセパレータ基板２１は、アノード極側流通路３０１〜３０ｎの断面形状（図３に斜線で示す）の重心Ｇが、内周部側から外周部側にかけて、次第にカソード極１７側に向けて下降するように成形されている。
【００２１】
換言すると、アノード極側流通路３０１〜３０ｎの流路長が長くなるに従って、アノード極１６から上記断面形状の重心Ｇと、そのアノード極１６との間の距離ｈ１を内周部側から外周部側に向けて大きくなるようにしている。
【００２２】
アノード極側仕切り凸部３２１〜３２ｎは、その基部３２ａから先端部近傍３２ｂに向けて次第に幅狭に形成しているとともに、先端部３２ｃは、アノード極１６と線接触するように断面三角形にしている。
本実施形態においては、アノード極側仕切り凸部３２１〜３２ｎは互いに略断面相似形状にして形成されている。
【００２３】
上記したガス流通部Ｆ１には、軸線Ｏ１を通る直径線Ｏ２に一致して所要の幅にしたガス流入路３５とガス流出路３６が軸線Ｏ１を挟む両側に形成されているとともに、ガス流入路３５上であって通気孔２０ａの近傍にはガス流入口２０ｂが配設されている。
【００２４】
内周リング１２〜１５は、それぞれ互いに同一の外径にして形成され、かつ、中心に上記した通気孔２０ａと同じ内径の通気孔１２ａ〜１５ａが、また、ガス流入口２０ｂと対向する位置にガス流入口１２ｂ〜１５ｂがそれぞれ形成されている。
【００２５】
このセパレータ２０は、固体電解質型セル１０のアノード極１６にアノード極側仕切り凸部３２１〜３２ｎが、また、他のセルユニットＢ１（図示下側）の固体電解質型セル１０のカソード極１７に下記のカソード側仕切り凸部３４１〜３４ｎがそれぞれ当接している。
【００２６】
カソード極側ガス流通部Ｆ２は、幅を一定にしてカソード極側仕切り凸部３４１〜３４ｎによって区画形成された複数のカソード極側流通路３３１〜３３ｎを有している。
カソード極側仕切り凸部３４１〜３４ｎは、その基部３４ａから先端部近傍３４ｂに向けて次第に幅狭に形成しているとともに、先端部３４ｃは、カソード極１６と線接触するように断面三角形にしている。
本実施形態においては、アノード極側仕切り凸部３２１〜３２ｎは互いに略断面相似形状にして形成されている。
【００２７】
上述したセルユニットＢ１を用いた燃料電池スタックＡの動作について説明する。
ガス流入口２０ｂからガス流通空間に導入されたアノードガスは、ガス流入路３５を通じて各流通路３０１〜３０ｎに導入され、それら各流通路３０１〜３０ｎを回送流通した後、ガス流出路３６を通じてガス流出口２０ａから外部に排出される。
一方、カソードガスは、セルユニットＢ１，Ｂ１の間隙からカソード極側のガス流入路（図示しない）を通じ、当該各流通路カソード極側流通路３３１〜３３ｎに導入されて回流した後、ガス流出路（図示しない）から流出する。
【００２８】
上述した実施形態に係るセルユニットと燃料電池スタックＡによれば、次の効果を得ることができる。
アノードガスが流通するアノード極側流通路の長短に関わらず、それら各流通路における流量分配を均一にして発電効率を高めることができる。
【００２９】
次に、第二〜第八の実施形態に係るセルユニットについて、図４〜１０を参照して説明する。図４〜１０は、第二〜第八の各実施形態に係るセルユニットの一部を模式的に示す部分断面図である。なお、上述した実施形態において説明したものと同等のものについては、それらと同一の符号を付して説明を省略する。
【００３０】
第二の実施形態に係るセルユニットＢ２は、図４に示すように、アノード極側，カソード極側ガス流通部Ｆ１，Ｆ２の構成が相違している。
アノード極側ガス流通部Ｆ１は、幅を一定にし、かつ、流路長が長くなるに従い、流路断面形状の重心をアノード極１６から離間させるように形成した複数の流通路４０１〜４０ｎを有している点で上記した実施形態と同様である。
【００３１】
アノード極側流通路４０１〜４０ｎは、これらの各セパレータ基板２１の底壁部分４０ｄが、アノード極１６とそれぞれ平行に形成されており、内周部側から外周部側に向けて、すなわち、流路長が長くなるに従ってアノード極１６から上記した流路断面形状の重心Ｇが離間するようにしている。敷衍すると、その重心Ｇとアノード極１６との間の距離ｈ１を内周部側から外周部側に向けて大きくなるように各底壁部分４０ｄを段階的に変化させている。
【００３２】
アノード極側仕切り凸部４１１〜４１ｎは、その基部４１ａから先端部近傍４１ｂに向けて次第に幅狭に形成しているとともに、先端部４１ｃは、アノード極１６と線接触するように断面三角形にしている。
なお、カソード極側仕切り凸部４２１〜４２ｎは、アノード極側仕切り凸部４１１〜４１ｎと同等の形状にして形成されているので、その詳細な説明を省略する。
【００３３】
第三の実施形態に係るセルユニットＢ３は、図５に示すように、アノード極側，カソード極側ガス流通部Ｆ１，Ｆ２の構成が相違している。
まず、アノード極側流通路４３１〜４３ｎは、アノード極１６に平行にして形成したセパレータ基板２１の図示上面に、互いに同一の間隔にした多数のアノード極側仕切り凸部４４１〜４４ｎを同心円状にして一体に区画形成したものである。
【００３４】
アノード極側仕切り凸部４４１〜４４ｎは、その基部４４ａから先端部近傍４４ｂに向けて次第に幅狭に形成しているとともに、先端部４４ｃは、アノード極１６と線接触するように断面三角形にしている。
【００３５】
カソード極側流通路４５１〜４５ｎを区画形成するカソード極側仕切り凸部４６１〜４６ｎは、その基部４６ａから先端部近傍４６ｂに向けて次第に幅狭に形成しているとともに、先端部４６ｃは、カソード極１６と線接触するように断面三角形にしている。
本実施形態においては、カソード極側仕切り凸部４６１〜４６ｎの各基部４６ａの幅Ｗ１を、その流通路４５１〜４５ｎの流路長が長くなるに従って広くしている。
この構成により、流通路断面形状の重心をアノード極から離間させることと同等の効果があり、流通路の高さ変化をより多くとることができ、設計の自由度を高めることができる。
【００３６】
第四の実施形態に係るセルユニットＢ４は、図６に示すように、アノード極側，カソード極側ガス流通部Ｆ１，Ｆ２の構成が相違している。
本実施形態において示すアノード極側流通路４６１〜４６ｎは、これらの各セパレータ基板２１の底壁部分４６ｄが、アノード極１６とそれぞれ平行に形成されており、内周部側から外周部側に向けて、すなわち、流通路長が長くなるに従ってアノード極１６から上記した流通路断面形状の重心Ｇが離間するようにしている。敷衍すると、その重心Ｇとアノード極１６との間の距離ｈ１を内周部側から外周部側に向けて大きくなるように各底壁部分４０ｄを段階的に変化させている。
【００３７】
アノード極側流通路４６１〜４６ｎを区画形成するアノード極側仕切り凸部４７１〜４７ｎは、その基部４７ａから先端部近傍４７ｂに向けて次第に幅狭に形成しているとともに、その先端部に突起４７ｃを形成している。
【００３８】
カソード極側流通路４８１〜４８ｎを区画形成するカソード極側仕切り凸部４９１〜４９ｎは、その基部４９ａから先端部近傍４９ｂに向けて次第に幅狭に形成しているとともに、その先端部に突起４９ｃを形成している。
【００３９】
本実施形態においては、カソード極側仕切り凸部４９１〜４８ｎの基部４９ａの幅Ｗ２を、内周部側から外周部側に向けて大きくなるように設定し、かつ、最内周側のカソード極側仕切り凸部４９１の基端部開口の幅Ｗ２を、最外周部側のカソード極側仕切り凸部の突起４９nの幅Ｗ３よりも広くしている。
【００４０】
セパレータ２０にはガス供給の他に通電させる機能があり、流通路の幅に合わせてセパレータ２０と電極の接点幅を決めると、電極の反応面積が小さくなる弊害が生じる。そこで、カソード極側仕切り凸部の突起４９ｃ先端の接点部分の幅を狭くすることで、反応への影響を最小限にした設計を可能にすることができる。
【００４１】
第五の実施形態に係るセルユニットＢ５は、図７に示すように、アノード極側，カソード極側ガス流通部Ｆ１，Ｆ２の構成が相違している。
本実施形態において示すアノード極側流通路５０１〜５０ｎは、これらの各底壁５０ｄが、アノード極１６とそれぞれ平行に形成されており、内周部側から外周部側に向けて、すなわち、流通路長が長くなるに従って上記流通路断面形状の重心Ｇがアノード極１６から離間するようにしている。
【００４２】
アノード極側，カソード極側仕切り凸部５１１〜５１ｎ，５２１〜５２ｎは、これらの基部５１ａ，５２ａから先端部５１ｂ，５２ｂに向けて次第に幅狭に形成しているとともに、先端部に凹陥部５１ｃ，５２ｃを形成している。
すなわち、セパレータ基板２１とアノード極側，カソード極１６，１７間の通電抵抗を低減する手段として金属ろう材を用いるときに、凹陥部５１ｃ，５２ｃを設けることにより、ろう材をその凹陥部５１ｃ，５２ｃに保持し易くすることができる。
【００４３】
第六の実施形態に係るセルユニットＢ６は、図８に示すように、アノード極側，カソード極側ガス流通部Ｆ１，Ｆ２の構成が相違している。
本実施形態において示すアノード極側流通路５３１〜５３ｎは、これらの各底壁５３ｄが、アノード極１６とそれぞれ平行に形成されており、内周部側から外周部側に向けて、すなわち、流通路長が長くなるに従って上記流路断面形状の重心Ｇがアノード極１６から離間するようにしている。
【００４４】
アノード極側流通路５３１〜５３ｎを区画形成するアノード極側仕切り凸部５４１〜５４ｎは、その基部５４ａから先端部近傍５４ｂに向けて次第に幅狭に形成しているとともに、先端部５４ｃは、アノード極１６と線接触するように断面三角形にしている。
なお、カソード極側流通路５５１〜５５ｎを区画形成するカソード極側仕切り凸部５６１〜５６ｎは、アノード極側仕切り凸部５４１〜５４ｎと同等の形状にして形成されているので、その詳細な説明を省略する。
【００４５】
本実施形態においては、最も流通路長が大きいアノード極側流通路５３ｎのアノード極１６からの距離ｈ２を、最も流路長が大きいカソード極側流通路５５ｎのカソード極１７からの距離ｈ３と等しいか又は短くしている。これにより、アノードガスより流量の多いカソードガスの流通を阻害することがない。
【００４６】
第七の実施形態に係るセルユニットＢ７は、図９に示すように、アノード極側，カソード極側ガス流通部Ｆ１，Ｆ２の構成が相違している。
本実施形態において示すアノード極側流通路５７１〜５７ｎを区画形成するアノード極側仕切り凸部５８１〜５８ｎ、また、アノード極側流通路５９１〜５９ｎを区画形成するアノード極側仕切り凸部６０１〜６０ｎは、上記した各実施形態において示す底壁を有しない形態のものである。
【００４７】
すなわち、アノード極側，カソード極側仕切り凸部５８１〜５８ｎ、６０１〜６０ｎは、境界線Ｏ３を想定したとき、その境界線Ｏ３を挟む図示上側にアノード側仕切り凸部５８１〜５８ｎが、また、その境界線Ｏ３を挟む図示下側にアノード側仕切り凸部６０１〜６０ｎを連続して形成したものである。
各仕切り凸部５８１〜５８ｎ，６０１〜６０ｎは横広幅にした上半部５８ａ，６０ａの下半部に鋭角な突起５８ｂ，６０ｂを一体に形成したものである。
【００４８】
境界線Ｏ３は、内周部側から外周部側に向けて、すなわち、流通路長が長くなるに従って上記流路断面形状の重心Ｇがアノード極１６から離間するように、内周部側から外周部側に向けてカソード極１７側に向けて次第に下降するように設定されている。
この構成によれば、上記した底壁やこれに相当するものを形成することなく、アノード側流通路５７１〜５７ｎのアノード極１６から上記流路断面形状の重心Ｇを離間させることができる。
【００４９】
ところで、上述した各実施形態における各仕切り凸部は、互いに略相似形状にしたものを例として説明したが、互いに異なる形状にした仕切り凸部を規則的に又は不規則に、内周部側から外周部側に配列した構成にしてもよい。その一例を図１０に示す。なお、上述した各実施形態において説明したものと同等のものについては、それらと同一の符号を付して説明を省略する。
【００５０】
第八の実施形態に係るセルユニットＢ８は、図１０に示すように、アノード極側，カソード極側流通路６１１〜６１ｎ，６２１〜６２ｎの各底壁６２ｄが、アノード極１６とそれぞれ平行に形成されており、内周部側から外周部側に向けて、すなわち、流路長が長くなるに従ってアノード極１６から上記流通路の断面形状（図１０において斜線で示す）の重心Ｇが離間するようにしていることは上記した各実施形態と同様である。
【００５１】
アノード極側流通路６１１〜６１ｎを区画形成するアノード極側仕切り凸部６３１〜６３ｎは、その基部６３ａから先端部近傍６３ｂに向けて次第に幅狭に形成しているとともに、先端部６３ｃは、アノード極１６と線接触するように断面三角形にしている。
【００５２】
カソード極側流通路６２１〜６２ｎを区画形成するカソード極側仕切り凸部６４１〜６４ｎは、互いに異なる形状に形成されており、本実施形態においては、各流通路６１１、６１２、６１３の各断面形状の重心Ｇからアノード極１６までの距離ｈ１〜３がｈ１／ｐ１≦ｈ２／ｐ２≦ｈ３／ｐ３の関係を満たすようにしたものである。
【００５３】
以上詳細に説明したが、いずれにしても、上記各実施形態において説明した各構成は、それら各実施形態にのみ適用することに限らず、一の実施形態において説明した構成を、他の実施形態に準用若しくは適用し、さらには、それを任意に組み合わせることができるものである。
【００５４】
上述した実施形態においては、第一の実施形態に係る複数のセルユニットＢ１…を互いに所要の間隙をもって積層させた例について説明したが、例えば、上記した各実施形態に係るセルユニットどうしを組み合わせて積層させた燃料電池スタックとしてもよい。
【符号の説明】
【００５５】
１０            燃料電池セル
１６            アノード極
１７            カソード極
３０１〜３０ｎ  アノード極側流通路
３３１〜３３ｎ  カソード極側流通路
Ｆ１，Ｆ２      アノード極側，カソード極側ガス流通部
Ｇ              流通路断面形状の重心
【図１】
2013197075.tif 000003
【図２】
2013197075.tif 000004
【図３】
2013197075.tif 000005
【図４】
2013197075.tif 000006
【図５】
2013197075.tif 000007
【図６】
2013197075.tif 000008
【図７】
2013197075.tif 000009
【図８】
2013197075.tif 000010
【図９】
2013197075.tif 000011
【図１０】
2013197075.tif 000012